(57)【要約】【課題】通信ケーブル等の長尺物に簡単に取り付けることができ、しかも、長尺物からの突出が少なく長尺物に沿った取付け状態を容易に実現できる長尺物識別具を提供すること。【解決手段】電線又は光ファイバ等である長尺物１０に取り付けて長尺物１０の識別に用いる長尺物識別具１であって、長尺物１０を識別する表示が設けられる表示面２ａが形成された本体２と、本体２に表示面２ａを避けて形成された取付面２ｂ側に形成され長尺物１０を収容して保持する保持部３と、本体２の取付面２ｂ側に突設され長尺物１０を弾性変形可能な押え片４によって保持する押え部４Ａとを備えることを特徴とする。【選択図】　　図７
2004048906.tif 000002
【特許請求の範囲】
【請求項１】
電線又は光ファイバ等である長尺物（１０）に取り付けて該長尺物の識別に用いる長尺物識別具であって、
前記長尺物を識別する表示が設けられる表示面（２ａ）が形成された本体（２）と、該本体に前記表示面を避けて形成された取付面（２ｂ）側に形成され前記長尺物を収容して保持する保持部（３）と、前記本体の取付面側に突設され前記長尺物を弾性変形可能な押え片（４、４１）によって保持する押え部（４Ａ、４１Ａ）とを備えることを特徴とする長尺物識別具（１、１Ａ、１Ｂ）。
【請求項２】
請求項１記載の長尺物識別具において、
前記保持部は、前記長尺物を該長尺物の周囲に間隙を確保して収容できる形状とされていることを特徴とする長尺物識別具。
【請求項３】
請求項１又は２記載の長尺物識別具において、
前記保持部は、前記取付面側に突設された一対の弾性片（３ａ）の間に前記長尺物が押し込みによって収容されるよう構成されていることを特徴とする長尺物識別具。
【発明の詳細な説明】
【０００１】
【発明の属する技術分野】
この発明は、電線、光ファイバコード等である長尺物に取り付けて長尺物の識別に用いる長尺物識別具に関し、特に容易に取り付け、識別することを可能とする長尺物識別具に関する。
【０００２】
【従来の技術】
従来、電線や光ファイバ等の通信ケーブルのコネクタ成端などの作業の際には、ケーブルの種類、回線など表示が形成された札（所謂丸札等。以下「識別札」とも言う）を通信ケーブルに取り付けて識別管理することが広く行われている。
【０００３】
【発明が解決しようとする課題】
ところで、この識別札は、紐などを使って通信ケーブルに取り付けることが一般的であるが、このような取付け構造では、例えば複数本の通信ケーブルの中から目的の通信ケーブルを取り出すといった作業を行う際に、識別札や紐が、通信ケーブル同士の絡まりの原因になるなど、作業上、邪魔になる場合があった。また、識別札を紐などを用いて通信ケーブルに取り付ける作業自体が煩雑であり、多数本の通信ケーブルに取り付けるとなると、労力を要するといった問題があった。
【０００４】
本発明は、前記課題に鑑みてなされたもので、通信ケーブル等の長尺物に簡単に取り付けることができ、しかも、長尺物からの突出が少なく長尺物に沿った取付け状態を容易に実現できる長尺物識別具を提供することを目的とする。
【０００５】
【課題を解決するための手段】
上記目的を達成するために、この発明は以下の手段を提案している。
請求項１に係る発明は、電線又は光ファイバ等である長尺物に取り付けて該長尺物の識別に用いる長尺物識別具であって、前記長尺物を識別する表示が設けられる表示面が形成された本体と、該本体に前記表示面を避けて形成された取付面側に形成され前記長尺物を収容して保持する保持部と、前記本体の取付面側に突設され前記長尺物を弾性変形可能な押え片によって保持する押え部とを備えることを特徴とする。
請求項２に係る発明は、請求項１記載の長尺物識別具において、前記保持部は、前記長尺物を該長尺物の周囲に間隙を確保して収容できる形状とされることを特徴とする。
請求項３に係る発明は、請求項１又は２記載の長尺物識別具において、前記保持部は、前記取付面側に突設された一対の弾性片の間に前記長尺物が押し込みによって収容されるよう構成されることを特徴とする。
【０００６】
【発明の実施の形態】
図１から図７は、本発明の第１の実施形態として示した長尺物識別具を示す図である。これらの図において、符号２は本体、３は保持部、４は押え片である。本体２はプレート状であり、この本体２の一方の面は表示面２ａを形成し、他方の面は取付面２ｂを形成している。長尺物識別具１は、プラスチック等の合成樹脂による一体成形品であり、本体２と、この本体２の取付面２ｂ側に突設された保持部３と、本体２から該本体２の取付面２ｂ側に突設された押え片４とを主な構成要素とする。
【０００７】
本体２は、具体的には、ほぼ矩形状に形成された厚さ数ｍｍ程度の平板状部である。前記保持部３は、本体２の取付面２ｂの対向する両側に取り付けられており、前記押え片４は、両側の保持部３の間に、２枚一対として設けられている。これら一対の保持部３と、２枚一対の押え片４からなる押え部４Ａとは、一列に配列状態に設けられており、以下、この配列方向（図中仮想線で示した配列直線Ｌの長手方向）に沿った方向を、この長尺物識別具１の「長手方向」として説明する。
【０００８】
保持部３は、具体的には、本体２の取付面２ｂから突設された一対の弾性片３ａによって構成されている。この保持部３を構成する一対の弾性片３ａの間には、各弾性片３ａの形状によって、長尺物１０（ここでは光ファイバコード等の光ファイバ又は電線）を収容する収容空間７が形成されている。なお、収容空間７は、円形に限定されず、収容する長尺物１０の断面形状に対応して適宜、形状を変更できる。この保持部３を構成する一対の弾性片３ａは、前記収容空間７を囲むように配置されている。また、各弾性片３ａの本体２からの突出先端間には、前記収容空間７に連通するスリット状の開口部８が確保されている。収容空間７は長尺物１０を該長尺物１０の周囲に隙間を確保して収容できる寸法に形成されており、具体的には断面円形の長尺物１０の径よりも大きい内径に形成されている。一方、開口部８は長尺物１０が通過出来ない寸法（開口幅Ｗなど）に形成されているが、両側の弾性片３ａの弾性変形によって押し開くことで長尺物１０を通過させることが可能になるため、これにより、収容空間７に対する長尺物１０の収容、取り出し等の作業を行える。
【０００９】
押え部４Ａを構成する押え片４は、一方の保持部３（図中、符号３Ａ）の２つの弾性片３ａから、長尺物識別具１の本体２にほぼ沿って他方の保持部３（図中、符号３Ｂ）に向けて延出された板バネ状になっている。２枚の押え片４は、それぞれ弾性片３ａを介して本体２と連結されているものの、本体２と直接連結されている部分は無く、長尺物１０を対向する両側から挟み込む板バネとして機能する。一対の押え片４は、本体２の中央部に開口された窓５を介して、本体２の表示面２ａの側から目視可能になっている。
また、各押え片４は、前記配列直線Ｌに沿ってその両側に対向配置されているが、但し、一方の保持部３Ａから他方の保持部３Ｂの側に行くに従って次第に互いの間隔が縮まるように形成されており、この押え部４Ａでは、２枚の押え片４の間に確保された収容空間４Ｂ内に収容した長尺物１０が、丁度、各押え片４の弾性片３ａからの突出先端間に挟み込まれるようになっている。
【００１０】
この長尺物識別具１は、長尺物識別具１の長手方向を長尺物１０の長手方向に一致させて長尺物１０を押し付けるだけで、長尺物１０に取り付けることができる。各保持部３は、長尺物１０の押圧によって、一対の弾性片３ａの間が、前記開口部８付近にて各弾性片３ａに形成されているテーパ面８ａの傾斜によって押し広げられ、長尺物１０の押し込みの継続によって、収容空間７内に長尺物１０が押し込まれ、収容されるようになっている。一方、押え部４Ａも、長尺物１０の押圧によって、一対の押え片４の間の収容空間４Ｂに長尺物１０が押し込まれるようになっている。
【００１１】
２つの保持部３の収容空間７と、押え部４Ａの収容空間４Ｂとは、丁度、配列直線Ｌ上に連設されており、これら保持部３や押え部４Ａの収容空間７、４Ｂへの押し込み、収容が完了した長尺部１０は、丁度、配列直線Ｌ上にほぼ一致して配置される。
長尺物１０への取付けが完了した長尺物識別具１の押え部４Ａからの長尺物１０の離脱は強制的な引っ張り作業のみによって行えるが、保持部３からの長尺物１０の離脱は、保持部３の開口部８を強制的に押し開いて収容空間７から長尺物１０を取り出さない限り、行えない。
【００１２】
長尺物１０への取付けが完了した長尺物識別具１は、押え部４Ａの一対の押え片４が長尺物１０を挟み込む力のみが、長尺物１０の長手方向への位置ずれを防止する機能を果たし、強制的に長尺物１０の長手方向に取付け位置をずらそうとすれば、長尺物１０に対する取付け状態を維持したまま、長尺物１０長手方向に沿ってスライド移動させるようにして、移動させることができる。つまり、保持部３は、収容空間７内の長尺物１０を拘束しない構成であるため、押え部４Ａの一対の押え片４が長尺物１０を挟み込む力のみが長尺物１０長手方向への位置ずれ防止の機能を果たすことになり、比較的、弱い力で、長尺物１０の長手方向へのスライド移動を行える。
また、長尺物識別具１は、特に、長尺物１０の長手方向に強制的にずらすような外力が作用しなければ、長尺部１０に対する取付け位置のズレを生じないため、例えば、作業者が不用意に手で触れても長尺物１０から簡単には離脱せず、また、長尺物１０の長手方向への位置ずれも発生しないか、あるいは、位置ずれが発生しても僅かで済む。
【００１３】
この長尺物識別具１の本体２の表示面２ａには、この長尺物識別具１を取り付ける通信ケーブル（長尺物。光ファイバコード等の光ファイバ、電線など）の種類、回線番号などの表示を形成できる。この表示は、ペン等の筆記具を用いて表示面２ａに直接書き込みの他、表示が予め形成されたラベルの貼付などによっても可能である。
【００１４】
この長尺物識別具１は、プレート状の本体２を長尺物１０に沿わせるようにして配置して長尺物１０に取り付けられるようになっており、また、本体２から突設されている小突起状の保持部３や押え部４Ａが長尺物２に対する取付け手段として機能する構成であるため、長尺物１０に取り付けても長尺物１０からの突出部分が少ない。つまり、全体として、長尺物１０に沿った取付け状態を容易に実現できるため、長尺物１０に取り付けても、例えば複数本の長尺物から目的の長尺物を取り出す作業等などにおいて、長尺物同士の絡まりなどの原因になりにくく、長尺物の取り扱いの障害にならない。
【００１５】
図８から図１４は、本発明の第２の実施形態として示した長尺物識別具を示す図である。これらの図において、第１の実施形態と同一の符号を付したものは、同一又は同一の機能をもつものを表し、その説明を省略又は簡略化する。
【００１６】
この実施形態では、第１の実施形態の窓５の形成を省略しているが、窓を形成することには特に制限は無く、保持部３の弾性片３ａから突出されている押え片４に代えて、取付面２ｂの中央部に形成された凹部２５（窪み）内面から突出する一対の押え片４１が形成されている点で第１の実施形態と異なる。また、本体２の取付面２ｂの対向する両側にリブ状に突設された側壁２６を有しており、この両側壁２６の間に、２つの保持部３と、２つの押え片４１からなる押え部４１Ａとが一列に配列配置されている。この実施形態の長尺物識別具１Ａも、合成樹脂による一体成形品であり、押え片４１は本体２に一体に成形されている。
【００１７】
保持部３は、一対の弾性片３ａ間に、矩形の収容空間７が形成されている点で、図１と異なるが、この実施形態でも、収容空間７の形状は、収容する長尺物の断面形状に対応して、適宜変更可能であり、例えば断面円形の通信ケーブル等の長尺物の収容に対応して、円形の収容空間７を採用できること等は言うまでもない。なお、凹部２５は２つの保持部３の間に形成されており、各保持部３の弾性片３ａは、取付面２ｂから突出されている。
【００１８】
押え片４１は、平板状の弾性片（板バネ状）であって、長尺物１０を両側から挟み込んで押圧するよう、２枚設けられている。但し、対向する押え片４１は、本体２からの突出先端側へ向かうに従い次第に互いの間隔が縮まるよう設けられている。押え片４１間の先端における幅は、長尺物１０の径よりも小さくなっている。各押え片４１の先端には、一対の押え片４１間の収容空間４１Ｂへの長尺物１０の押し込みを容易にするためのテーパ面４ａが形成されている。なお、収容空間４１Ｂは、丁度、両側の保持部３の収容空間７と連通する位置に形成されている。
【００１９】
この実施形態の長尺物識別具１Ａも、第１の実施形態の長尺物識別具１と同様、長尺物１０の押し込みのみによって簡単に長尺物１０に取り付けることができる。
【００２０】
上記の構成によれば、第１の実施の形態と同様の効果が得られるほか、第１の実施形態の押え部４Ａの収容空間４Ｂに比べて、一対の押え片４１の間の収容空間４１Ｂに収容した長尺物１０が収容空間４１Ｂから離脱しにくく、また、押え片４１が本体２に向けて長尺物１０を押圧して押さえ込むようになるため、長尺物１０に対する取付け状態を安定化させることができる（ガタつき防止など）。なお、長尺物１０に取り付けた長尺物識別具１Ａのガタつき防止は、長尺物として光ファイバコード等の光ファイバを採用した場合に、通信の瞬断防止等の点で有利である。
【００２１】
図１５から図２３は、本発明の第３の実施形態として示した長尺物識別具を示す図である。これらの図において、第２の実施形態と同一の符号を付したものは、同一又は同一の機能をもつものを表し、その説明を省略又は簡略化する。なお、この実施形態の長尺物識別具１Ｂも、合成樹脂による一体成形品である。
【００２２】
この実施形態の長尺物識別具１Ｂは、本体２の取付面２ｂ側に、保持部と押え部とを一つずつ有するものである。図では、保持部や押え部として、前述の第２の実施形態と同様の保持部３、押え部４１Ａを採用した構成を例示しているが、保持部や押え部としてはこれに限定されず、各種採用可能である。この長尺物識別具１Ｂでは、第１、第２の実施形態に比べて小型化できるため、長尺物１０に取り付けた場合に、他の長尺物との引っ掛かりを生じにくい利点がある。
【００２３】
なお、本発明は、前述の実施の形態に限定されず、各種変更が可能である。例えば、第２、第３の実施形態の押え部４１Ａを形成する押え片４１は、必ずしも凹部２５内面から突設されたものである必要はなく、例えば、取付面から突出形成されたものなど、各種採用可能である。また、保持部や、押え部の具体的構成は、各種採用可能であり、例えば押え部としては、必ずしも２枚の押え片によって長尺物を挟み込む構成に限定されず、１枚の押え片によって本体等との間に長尺物を挟み込む構成や、３枚以上の押え片からなる構成なども採用可能である。保持部も同様に、一対の弾性片からなる構成だけでなく、１本の弾性片、３本以上の弾性片からなる構成であっても良い。また、保持部は、長尺物を収容することで、長尺物識別具の長尺物からの離脱防止の機能を果たせる構成であれば良く、この点、弾性片からなる構成に限定されず、弾性片以外の突片（硬質材料からなる突片など）によって構成されたものであっても良い。また、長尺物識別具本体に形成した収容溝と、この収容溝に収容した長尺物の収容溝からの離脱を防止する離脱防止片とを有する構成なども採用可能である。
さらに、複数の押え片を有して構成される押え部や、複数の突片を有して構成される保持部としては、押え片や突片の位置が、必ずしも、保持する長尺物を介して丁度対面する位置になっている必要は無く、長尺物の長手方向に位置をずらして配置されている構成も採用可能である。押え片の具体的形状は、押圧保持する長尺物に対する円滑な摺動が可能な形状であれば良く、前述した各実施形態に例示した板バネ状など、各種採用可能である。つまり、保持部は、主に識別具が光ファイバ等から離脱することを防止する機能を果たすものであれば良く、押え部は、主に長尺物に取り付けた長尺物識別具のがたつき防止と、長尺物　長手方向への移動防止（但し完全固定ではない）の機能を有するものであればよく、これら保持部や押え部の具体的構成には特に限定は無い。また、長尺物識別具における、これら保持部や押え部の設置数にも特に限定は無く、保持部及び押え部がそれぞれ１以上設けられている構成であれば良い。
長尺物を拘束しないように余裕をもって収容できる構成の保持部としては各種採用可能であり、例えば、長尺物の押し込み用の切欠きを有するリング状などであっても良い。また、前述の各実施形態では、いずれも、長尺物を本体の取付面に向けて押圧することで長尺物が押し込み収容される構成の保持部や押え部を例示したが、これに限定されず、保持部や押え部としては、例えば、本体取付面に沿った方向に長尺物をスライド移動させることで長尺物が押し込み収容される構成なども採用可能である。長尺物としては、光ファイバや電線等の通信ケーブルに限定されず、例えば、光ファイバ等のエア圧送用パイプなど、回線の識別などを要するものであれば良く、特に限定はない。長尺物としては、少なくとも識別具に取り付けられる程度の長さを有していればよい。
【００２４】
【発明の効果】
以上説明したように、本発明によれば、長尺物を保持部に押し込むだけで長尺物は保持部に収容されて保持されるので、容易に取り付けることができる。また、構成が簡単であり長尺物は押え片によって挟み込まれて本体に一体に保持されるので、長尺物からの突出が少なく長尺物に沿った取付け状態を容易に実現できる。
また、長尺物を、保持部によって隙間を以って固定せずに収容するとともに、押え部の押え片の押圧力によって側圧を作用させて保持する構成とすることで、長尺物識別具の長尺物の長手方向に沿ったスライド移動操作を簡単に行えるとともに、長尺物に取り付けた長尺物識別具が長尺物長手方向に不用意にズレることを防止できる。さらに、このような構成であれば、長尺物に取り付けた長尺物識別具に衝撃力等の外力が加わっても、この外力が直接長尺物に作用しにくいため、例えば、長尺物が光ファイバコード等の光ファイバである場合には、光ファイバに屈曲等変形や、振動による通信の瞬断等の悪影響を与えにくくなるといった利点がある。
また、請求項３に係る発明によれば、長尺物を保持部の弾性片の間に位置させてこれを押し込むだけの簡単な操作で長尺物は保持部に収容されて保持されるので、容易に取り付けることができる。
【図面の簡単な説明】
【図１】本発明の第１の実施形態の長尺物識別具を示す平面図である。
【図２】本発明の第１の実施形態の長尺物識別具を示す正面図である。
【図３】本発明の第１の実施形態の長尺物識別具を示す底面図である。
【図４】本発明の第１の実施形態の長尺物識別具を示す右側面図である。
【図５】図２のＡ−Ａ線視断面図である。
【図６】図４のＢ−Ｂ線視断面図である。
【図７】本発明の第１の実施形態の長尺物識別具を示す斜視図であって、底面から見た図である。
【図８】本発明の第２の実施形態の長尺物識別具を示す平面図である。
【図９】本発明の第２の実施形態の長尺物識別具を示す正面図である。
【図１０】本発明の第２の実施形態の長尺物識別具を示す底面図である。
【図１１】本発明の第２の実施形態の長尺物識別具を示す右側面図である。
【図１２】図９のＡ−Ａ線視断面図である。
【図１３】図１１のＢ−Ｂ線視断面図である。
【図１４】本発明の第２の実施形態の長尺物識別具を示す斜視図であって、底面から見た図である。
【図１５】本発明の第３の実施形態の長尺物識別具を示す平面図である。
【図１６】本発明の第３の実施形態の長尺物識別具を示す正面図である。
【図１７】本発明の第３の実施形態の長尺物識別具を示す底面図である。
【図１８】本発明の第３の実施形態の長尺物識別具を示す左側面図である。
【図１９】本発明の第３の実施形態の長尺物識別具を示す右側面図である。
【図２０】図１６のＡ−Ａ線視断面図である。
【図２１】図１６のＢ−Ｂ線視断面図である。
【図２２】図１９のＣ−Ｃ線視断面図である。
【図２３】本発明の第３の実施形態の長尺物識別具を示す斜視図であって、底面から見た図である。
【符号の説明】
１…長尺物識別具、１Ａ…長尺物識別具、１Ｂ…長尺物識別具、２…本体、２ａ…表示面、２ｂ…取付面、３…保持部、３ａ…弾性片、４…押え片、４Ａ…押え部、１０…長尺物、４１…押え片、４１Ａ…押え部。
【図１】
2004048906.tif 000003
【図２】
2004048906.tif 000004
【図３】
2004048906.tif 000005
【図４】
2004048906.tif 000006
【図５】
2004048906.tif 000007
【図６】
2004048906.tif 000008
【図７】
2004048906.tif 000009
【図８】
2004048906.tif 000010
【図９】
2004048906.tif 000011
【図１０】
2004048906.tif 000012
【図１１】
2004048906.tif 000013
【図１２】
2004048906.tif 000014
【図１３】
2004048906.tif 000015
【図１４】
2004048906.tif 000016
【図１５】
2004048906.tif 000017
【図１６】
2004048906.tif 000018
【図１７】
2004048906.tif 000019
【図１８】
2004048906.tif 000020
【図１９】
2004048906.tif 000021
【図２０】
2004048906.tif 000022
【図２１】
2004048906.tif 000023
【図２２】
2004048906.tif 000024
【図２３】
2004048906.tif 000025